(57)【要約】【課題】  同時送受信に対応し、かつ、無線信号の周波数を変更する際に誤った周波数変換が行なわれることに起因する受信特性の劣化を防ぎ、かつ、構成の複雑化を防ぐことが可能な無線送受信装置を提供する。【解決手段】  無線送受信装置は、第１の局部発信信号を生成する局部発信器Ｌ１と、第１の局部発信信号と異なる周波数を有する第２の局部発信信号を生成する局部発信器Ｌ２と、いずれかの局部発信信号を用いて周波数変換する送信ＲＦミキサＭ１および受信ＲＦミキサＭ２と、２つの局部発信信号をそれぞれ送信ＲＦミキサＭ１または受信ＲＦミキサＭ２へ出力する切替部６０と、送信および受信を同時に行なう場合には、切替部６０に２つの局部発信信号のいずれか一方を送信ＲＦミキサＭ１へ出力させると同時に、他方の局部発信信号を受信ＲＦミキサＭ２へ出力させる制御を行なう制御部５３とを備える。【選択図】        図１
2006287439.tif 000002
【特許請求の範囲】
【請求項１】
送信および受信を同時に行なう同時送受信が可能な無線送受信装置であって、
第１の局部発信信号を生成する第１の局部発信器と、
前記第１の局部発信信号と異なる周波数を有する第２の局部発信信号を生成する第２の局部発信器と、
前記第１の局部発信信号または前記第２の局部発信信号を用いて、ベースバンド信号またはＩＦ信号を送信信号に周波数変換する送信ＲＦミキサと、
前記送信信号を送信する送信部と、
受信信号を受信する受信部と、
前記第１の局部発信信号または前記第２の局部発信信号を用いて、前記受信した受信信号をベースバンド信号またはＩＦ信号に周波数変換する受信ＲＦミキサと、
前記第１の局部発信信号を前記送信ＲＦミキサまたは前記受信ＲＦミキサへ出力し、かつ、前記第２の局部発信信号を前記送信ＲＦミキサまたは前記受信ＲＦミキサへ出力する切替部と、
前記同時送受信を行なう場合には、前記切替部に前記第１の局部発信信号および前記第２の局部発信信号のいずれか一方を前記送信ＲＦミキサへ出力させると同時に、他方の前記局部発信信号を前記受信ＲＦミキサへ出力させる制御を行なう制御部とを備える無線送受信装置。
【請求項２】
前記切替部は、
第１のスイッチと、第２のスイッチと、第３のスイッチと、分配器とを含み、
前記第１のスイッチ、前記第２のスイッチおよび前記第３のスイッチは、それぞれ第１の端子と、第２の端子と、第３の端子とを含み、
前記第１のスイッチにおける第１の端子が前記第１の局部発信器に接続され、前記第１のスイッチにおける第２の端子が前記分配器の入力に接続され、
前記第２のスイッチにおける第１の端子に前記第２の局部発信器が接続され、前記第２のスイッチにおける第２の端子に前記第１のスイッチにおける第３の端子が接続され、前記第２のスイッチにおける第３の端子に前記第３のスイッチにおける第１の端子が接続され、
前記第３のスイッチにおける第２の端子に前記分配器の第１の出力が接続され、前記第３のスイッチにおける第３の端子に前記受信ＲＦミキサが接続され、
前記分配器の第２の出力が前記送信ＲＦミキサに接続され、
前記制御部は、前記同時送受信を行なう場合には、前記第１のスイッチにおける前記第１の端子と前記第２の端子との間を導通させ、かつ、前記第２のスイッチにおける前記第１の端子と前記第３の端子との間を導通させ、かつ、前記第３のスイッチにおける前記第１の端子と前記第３の端子との間を導通させる制御を行なう請求項１記載の無線送受信装置。
【請求項３】
前記制御部は、前記同時送受信を行なわない場合であって前記送信信号を送信するときには、前記第１のスイッチにおける前記第１の端子と前記第２の端子との間を導通させ、かつ、前記第３のスイッチにおける前記第１の端子と前記第３の端子との間を導通させる制御を行なうか、または、前記第１のスイッチにおける前記第２の端子と前記第３の端子との間を導通させ、かつ、前記第２のスイッチにおける前記第１の端子と前記第２の端子との間を導通させ、かつ、前記第３のスイッチにおける前記第１の端子と前記第３の端子との間を導通させる制御を行ない、前記同時送受信を行なわない場合であって前記受信信号を受信するときには、前記第１のスイッチにおける前記第１の端子と前記第２の端子との間を導通させ、かつ、前記第３のスイッチにおける前記第２の端子と前記第３の端子との間を導通させる制御を行なうか、または、前記第２のスイッチにおける前記第１の端子と前記第３の端子との間を導通させ、かつ、前記第３のスイッチにおける前記第１の端子と前記第３の端子との間を導通させる制御を行なう請求項２記載の無線送受信装置。
【請求項４】
前記切替部は、
第１のスイッチと、第２のスイッチと、第３のスイッチと、第４のスイッチとを含み、
前記第１のスイッチ、前記第２のスイッチおよび前記第３のスイッチは、それぞれ第１の端子と、第２の端子と、第３の端子とを含み、
前記第１のスイッチにおける第１の端子に前記第１の局部発信器が接続され、前記第１のスイッチにおける第２の端子に前記第２のスイッチにおける第１の端子が接続され、前記第１のスイッチにおける第３の端子に前記第４のスイッチにおける第１の端子が接続され、
前記第２のスイッチにおける第２の端子に前記送信ＲＦミキサが接続され、
前記第３のスイッチにおける第１の端子に前記第２の局部発信器が接続され、前記第３のスイッチにおける第２の端子に前記第２のスイッチにおける第３の端子が接続され、
前記第４のスイッチにおける第２の端子に前記受信ＲＦミキサが接続され、前記第４のスイッチにおける第３の端子が前記第３のスイッチにおける第３の端子に接続され、
前記制御部は、前記同時送受信を行なう場合には、前記第１のスイッチにおける前記第１の端子と前記第２の端子との間を導通させ、かつ、前記第２のスイッチにおける前記第１の端子と前記第２の端子との間を導通させ、かつ、前記第３のスイッチにおける前記第１の端子と前記第３の端子との間を導通させ、かつ、前記第４のスイッチにおける前記第２の端子と前記第３の端子との間を導通させる制御を行なうか、または、前記第１のスイッチにおける前記第１の端子と前記第３の端子との間を導通させ、かつ、前記第２のスイッチにおける前記第２の端子と前記第３の端子との間を導通させ、かつ、前記第３のスイッチにおける前記第１の端子と前記第２の端子との間を導通させ、かつ、前記第４のスイッチにおける前記第１の端子と前記第２の端子との間を導通させる制御を行なう請求項１記載の無線送受信装置。
【請求項５】
前記制御部は、前記同時送受信を行なわない場合であって前記送信信号を送信するときには、前記第１のスイッチにおける前記第１の端子と前記第２の端子との間を導通させ、かつ、前記第２のスイッチにおける前記第１の端子と前記第２の端子との間を導通させる制御を行なうか、または、前記第２のスイッチにおける前記第２の端子と前記第３の端子との間を導通させ、かつ、前記第３のスイッチにおける前記第１の端子と前記第２の端子との間を導通させる制御を行ない、前記同時送受信を行なわない場合であって前記受信信号を受信するときには、前記第３のスイッチにおける前記第１の端子と前記第３の端子との間を導通させ、かつ、前記第４のスイッチにおける前記第２の端子と前記第３の端子との間を導通させる制御を行なうか、または、前記第１のスイッチにおける前記第１の端子と前記第３の端子との間を導通させ、かつ、前記第４のスイッチにおける前記第１の端子と前記第２の端子との間を導通させる制御を行なう請求項４記載の無線送受信装置。
【請求項６】
前記無線送受信装置は、さらに、
前記送信信号に対応する前記第１の局部発信器または前記第２の局部発信器を制御して前記第１の局部発信信号の周波数または前記第２の局部発信信号の周波数を変更する局部発信信号制御部と、
前記周波数が変更される局部発信信号を用いて前記送信ＲＦミキサが生成する前記送信信号の送信を所定期間だけ前記送信部に停止させる制御を行なう送信制御部とを備える請求項１記載の無線送受信装置。
【請求項７】
前記無線送受信装置は、さらに、
前記受信信号に対応する前記第１の局部発信器または前記第２の局部発信器を制御して前記第１の局部発信信号の周波数または前記第２の局部発信信号の周波数を変更する局部発信信号制御部と、
前記周波数が変更される局部発信信号を用いて前記受信ＲＦミキサが周波数変換する前記受信信号の受信を所定期間だけ前記受信部に停止させる制御を行なう受信制御部とを備える請求項１記載の無線送受信装置。
【発明の詳細な説明】
【技術分野】
【０００１】
本発明は、無線送受信装置に関し、特に、送信および受信を同時に行なう無線送受信装置に関する。
【背景技術】
【０００２】
移動体通信システムでは、ＦＤＭＡ（Frequency Division Multiple Access）方式、ＴＤＭＡ（Time Division Multiple Access）方式およびＣＤＭＡ（Code Division Multiple Access方式等様々な方式が採用されている。たとえばＰＨＳ（Personal Handy-Phone System）では、ＴＤＭＡ／ＴＤＤ（Time Division Multiple Access/Time Division Duplex）方式で通信が行なわれている。ＰＨＳでは、たとえば、１フレームが８スロットで構成され、上り（無線端末局から無線基地局への通信方向）４スロットおよび下り（無線基地局から無線端末局への通信方向）４スロットで構成される。このように、ＴＤＭＡ／ＴＤＤ方式では、上り方向および下り方向の通信は異なるタイミングで行なわれるが、システムの通信速度を高めるために、上り方向および下り方向の通信を同時に行なう方式（以下、同時送受信とも称する。）が考えられる。以下、無線端末局および無線基地局を無線送受信装置と総称する。
【０００３】
この方式では、無線送受信装置は送信および受信を同時に行なう必要があるために、無線送受信装置の受信部に送信信号および送信信号と合わせて増幅されたノイズが漏洩してしまう。無線端末局側で考えると、無線基地局から受信した受信信号に無線端末局が無線基地局へ送信する送信信号およびノイズが合成され、無線端末局の受信特性が劣化するという問題点が生じる。これは、通常、無線送受信装置が受信する受信信号は、自らが送信する送信信号と比べて電力が微弱であるため、受信部に漏洩する送信信号およびノイズが受信信号に対して与える影響が無視できないものとなるからである。なお、上りと下りの周波数が異なるＦＤＤ（Frequency Division Duplex）方式では、フィルタの一種であるデュプレクサ等で送信信号および受信信号を分離できるために送信信号およびノイズの受信部への漏洩は問題とならない。
【０００４】
このような問題点を解決するために、たとえば、特許文献１には、以下のような無線送受信装置が開示されている。すなわち、ベクトル調整器は、受信部に漏洩する送信信号と等振幅かつ逆位相となる擬似送信信号を生成する。送信信号が漏洩して合成された受信信号および擬似送信信号を受けて、方向性結合器が受信信号の送信信号成分を除去する。このような構成により、同時送受信方式において、送信信号の漏洩による受信特性の劣化を低減することができる。
【特許文献１】特開２００３−２７３７７０号公報
【発明の開示】
【発明が解決しようとする課題】
【０００５】
ところで、無線送受信装置が同時送受信を行なうためには、無線送受信装置が送信する無線信号の搬送波の周波数および無線送受信装置が受信する無線信号の搬送波の周波数が異なっている方がよい。これは、たとえば、前述のように無線送受信装置は送信および受信を同時に行なった場合、受信信号には自らが送信する送信信号が漏洩するが、漏洩した送信信号の搬送波の周波数が受信信号の搬送波の周波数と同じであるとＣＮＲ（Carrier to Noise Ratio）が小さくなり、受信特性が大幅に劣化するからである。
【０００６】
したがって、無線端末局は、搬送波の周波数が異なる無線信号の送信および受信を行なうために、少なくとも２個の局部発信器、すなわち、送信すべきＩＦ（Intermediate Frequency）信号またはベースバンド信号を無線信号に周波数変換するための局部発信信号を出力する局部発信器と、受信した無線信号をＩＦ信号またはベースバンド信号に周波数変換するための局部発信信号を出力する局部発信器とを備える必要がある。
【０００７】
ところで、隣接する無線送受信装置同士は、互いの干渉を防止するために隣接する他の無線送受信装置と搬送波の周波数が異なる無線信号を送受信して通信相手となる無線送受信装置と通信する必要がある。無線送受信装置は、たとえば、キャリアセンスと呼ばれる使用しようとしているチャネルが空いているかどうかを測定する処理によって使用すべきチャネルを認識し、通信相手ごとに無線信号の搬送波の周波数を変更する。
【０００８】
ここで、局部発信器の出力する局部発信信号の周波数を新たな周波数に瞬時に変更することは困難であり、局部発信信号を新たな周波数に収束させるためにはある程度の期間（ロックアップタイム）が必要である。新たな周波数に未だ収束していない過渡状態の局部発信信号を周波数変換に使用すると無線送受信装置の送信特性および受信特性が大幅に劣化してしまう。
【０００９】
したがって、このような過渡状態の局部発信信号が周波数変換に使用されて無線送受信装置の送信特性および受信特性が劣化することを防ぐために、送信用および受信用でそれぞれ２個の局部発信器、すなわち、合計４個の局部発信器を備え、一方の局部発信器を使用しているときに他方の局部発信器を制御して局部発信信号の周波数を所望の新たな周波数に変更させておく構成が必要である。
【００１０】
したがって、特許文献１記載の無線送受信装置では、同時送受信に対応し、かつ、無線信号の搬送波の周波数を変更する際の送受信特性の劣化を防ぐために４個の局部発信器を備える必要があり、構成の複雑化によって消費電力、実装面積および生産コストが増大するという問題点があった。
【００１１】
それゆえに、本発明の目的は、同時送受信に対応し、かつ、無線信号の周波数を変更する際に過渡状態の局部発信信号を周波数変換に使用することに起因する送受信特性の劣化を防ぎ、かつ、構成の複雑化を防ぐことが可能な無線送受信装置を提供することである。
【課題を解決するための手段】
【００１２】
上記課題を解決するために、この発明のある局面に係わる無線送受信装置は、送信および受信を同時に行なう同時送受信が可能な無線送受信装置であって、第１の局部発信信号を生成する第１の局部発信器と、第１の局部発信信号と異なる周波数を有する第２の局部発信信号を生成する第２の局部発信器と、第１の局部発信信号または第２の局部発信信号を用いて、ベースバンド信号またはＩＦ信号を送信信号に周波数変換する送信ＲＦミキサと、送信信号を送信する送信部と、受信信号を受信する受信部と、第１の局部発信信号または第２の局部発信信号を用いて、受信した受信信号をベースバンド信号またはＩＦ信号に周波数変換する受信ＲＦミキサと、第１の局部発信信号を送信ＲＦミキサまたは受信ＲＦミキサへ出力し、かつ、第２の局部発信信号を送信ＲＦミキサまたは受信ＲＦミキサへ出力する切替部と、同時送受信を行なう場合には、切替部に第１の局部発信信号および第２の局部発信信号のいずれか一方を送信ＲＦミキサへ出力させると同時に、他方の局部発信信号を受信ＲＦミキサへ出力させる制御を行なう制御部とを備える。
【００１３】
好ましくは、切替部は、第１のスイッチと、第２のスイッチと、第３のスイッチと、分配器とを含み、第１のスイッチ、第２のスイッチおよび第３のスイッチは、それぞれ第１の端子と、第２の端子と、第３の端子とを含み、第１のスイッチにおける第１の端子が第１の局部発信器に接続され、第１のスイッチにおける第２の端子が分配器の入力に接続され、第２のスイッチにおける第１の端子に第２の局部発信器が接続され、第２のスイッチにおける第２の端子に第１のスイッチにおける第３の端子が接続され、第２のスイッチにおける第３の端子に第３のスイッチにおける第１の端子が接続され、第３のスイッチにおける第２の端子に分配器の第１の出力が接続され、第３のスイッチにおける第３の端子に受信ＲＦミキサが接続され、分配器の第２の出力が送信ＲＦミキサに接続され、制御部は、同時送受信を行なう場合には、第１のスイッチにおける第１の端子と第２の端子との間を導通させ、かつ、第２のスイッチにおける第１の端子と第３の端子との間を導通させ、かつ、第３のスイッチにおける第１の端子と第３の端子との間を導通させる制御を行なう。
【００１４】
より好ましくは、制御部は、同時送受信を行なわない場合であって送信信号を送信するときには、第１のスイッチにおける第１の端子と第２の端子との間を導通させ、かつ、第３のスイッチにおける第１の端子と第３の端子との間を導通させる制御を行なうか、または、第１のスイッチにおける第２の端子と第３の端子との間を導通させ、かつ、第２のスイッチにおける第１の端子と第２の端子との間を導通させ、かつ、第３のスイッチにおける第１の端子と第３の端子との間を導通させる制御を行ない、同時送受信を行なわない場合であって受信信号を受信するときには、第１のスイッチにおける第１の端子と第２の端子との間を導通させ、かつ、第３のスイッチにおける第２の端子と第３の端子との間を導通させる制御を行なうか、または、第２のスイッチにおける第１の端子と第３の端子との間を導通させ、かつ、第３のスイッチにおける第１の端子と第３の端子との間を導通させる制御を行なう。
【００１５】
好ましくは、切替部は、第１のスイッチと、第２のスイッチと、第３のスイッチと、第４のスイッチとを含み、第１のスイッチ、第２のスイッチおよび第３のスイッチは、それぞれ第１の端子と、第２の端子と、第３の端子とを含み、第１のスイッチにおける第１の端子に第１の局部発信器が接続され、第１のスイッチにおける第２の端子に第２のスイッチにおける第１の端子が接続され、第１のスイッチにおける第３の端子に第４のスイッチにおける第１の端子が接続され、第２のスイッチにおける第２の端子に送信ＲＦミキサが接続され、第３のスイッチにおける第１の端子に第２の局部発信器が接続され、第３のスイッチにおける第２の端子に第２のスイッチにおける第３の端子が接続され、第４のスイッチにおける第２の端子に受信ＲＦミキサが接続され、第４のスイッチにおける第３の端子が第３のスイッチにおける第３の端子に接続され、制御部は、同時送受信を行なう場合には、第１のスイッチにおける第１の端子と第２の端子との間を導通させ、かつ、第２のスイッチにおける第１の端子と第２の端子との間を導通させ、かつ、第３のスイッチにおける第１の端子と第３の端子との間を導通させ、かつ、第４のスイッチにおける第２の端子と第３の端子との間を導通させる制御を行なうか、または、第１のスイッチにおける第１の端子と第３の端子との間を導通させ、かつ、第２のスイッチにおける第２の端子と第３の端子との間を導通させ、かつ、第３のスイッチにおける第１の端子と第２の端子との間を導通させ、かつ、第４のスイッチにおける第１の端子と第２の端子との間を導通させる制御を行なう。
【００１６】
より好ましくは、制御部は、同時送受信を行なわない場合であって送信信号を送信するときには、第１のスイッチにおける第１の端子と第２の端子との間を導通させ、かつ、第２のスイッチにおける第１の端子と第２の端子との間を導通させる制御を行なうか、または、第２のスイッチにおける第２の端子と第３の端子との間を導通させ、かつ、第３のスイッチにおける第１の端子と第２の端子との間を導通させる制御を行ない、同時送受信を行なわない場合であって受信信号を受信するときには、第３のスイッチにおける第１の端子と第３の端子との間を導通させ、かつ、第４のスイッチにおける第２の端子と第３の端子との間を導通させる制御を行なうか、または、第１のスイッチにおける第１の端子と第３の端子との間を導通させ、かつ、第４のスイッチにおける第１の端子と第２の端子との間を導通させる制御を行なう。
【００１７】
好ましくは、無線送受信装置は、さらに、送信信号に対応する第１の局部発信器または第２の局部発信器を制御して第１の局部発信信号の周波数または第２の局部発信信号の周波数を変更する局部発信信号制御部と、周波数が変更される局部発信信号を用いて送信ＲＦミキサが生成する送信信号の送信を所定期間だけ送信部に停止させる制御を行なう送信制御部とを備える。
【００１８】
好ましくは、無線送受信装置は、さらに、受信信号に対応する第１の局部発信器または第２の局部発信器を制御して第１の局部発信信号の周波数または第２の局部発信信号の周波数を変更する局部発信信号制御部と、周波数が変更される局部発信信号を用いて受信ＲＦミキサが周波数変換する受信信号の受信を所定期間だけ受信部に停止させる制御を行なう受信制御部とを備える。
【発明の効果】
【００１９】
本発明によれば、同時送受信に対応し、かつ、無線信号の周波数を変更する際に過渡状態の局部発信信号を周波数変換に使用することに起因する送受信特性の劣化を防ぎ、かつ、構成の複雑化を防ぐことができる。
【発明を実施するための最良の形態】
【００２０】
以下、本発明の実施の形態について図面を用いて説明する。
【００２１】
＜第１の実施の形態＞
［構成および基本動作］
図１は、本発明の第１の実施の形態に係る無線送受信装置の構成図である。
【００２２】
同図を参照して、この無線送受信装置は、変調部１と、増幅部２と、送信ＲＦミキサＭ１と、送信部５１と、受信部５２と、受信ＲＦミキサＭ２と、バンドパスフィルタ８と、復調部９と、制御部５３と、サーキュレータ５と、アンテナ６と、可変局部発信器Ｌ１〜Ｌ２と、切替部６０とを備える。
【００２３】
送信部５１は、バンドパスフィルタ３と、増幅部４とを含む。受信部５２は、増幅部７を含む。
【００２４】
切替部６０は、スイッチＳＷ１と、スイッチＳＷ２とを含む。スイッチＳＷ１は、端子ｔａ１〜端子ｔａ３を含む。スイッチＳＷ２は、端子ｔｂ１〜端子ｔｂ３を含む。
【００２５】
スイッチＳＷ１における端子ｔａ１が可変局部発信器Ｌ１に接続され、スイッチＳＷ１における端子ｔａ２が送信ＲＦミキサＭ１およびスイッチＳＷ２における端子ｔｂ２に接続される。スイッチＳＷ１における端子ｔａ３が受信ＲＦミキサＭ２およびスイッチＳＷ２における端子ｔｂ３に接続される。スイッチＳＷ２における端子ｔｂ１が可変局部発信器Ｌ２に接続される。
【００２６】
変調部１は、ベースバンド信号を変調し、増幅部２へ出力する。
【００２７】
増幅部２は、変調部１から受けた変調されたベースバンド信号を増幅し、送信ＲＦミキサＭ１へ出力する。
【００２８】
送信ＲＦミキサＭ１は、切替部６０から受けた局部発信信号を用いて、増幅部２から受けた増幅されたベースバンド信号をＲＦ（Radio  Frequency）帯の送信信号に周波数変換する。なお、送信ＲＦミキサＭ１の前段にベースバンド信号をＩＦ（Intermediate Frequency）信号に周波数変換するミキサが配置され、送信ＲＦミキサＭ１がＩＦ信号をＲＦ帯の送信信号に周波数変換する構成であってもよい。
【００２９】
バンドパスフィルタ３は、送信ＲＦミキサＭ１から受けた送信信号の周波数成分のうち、通信すべき信号（以下、主信号とも称する。）の帯域より外側の周波数領域における周波数成分を減衰させる。
【００３０】
増幅部４は、バンドパスフィルタ３から受けた送信信号を増幅し、サーキュレータ５へ出力する。
【００３１】
サーキュレータ５は、増幅部４から受けた送信信号をアンテナ６へ出力すると同時に、アンテナ６から受けた受信信号を増幅部７へ出力する。
【００３２】
なお、サーキュレータ５は本発明に係る無線送受信装置において必須のものではなく、本発明に係る無線送受信装置がサーキュレータ５を備えず、増幅部４から受けた送信信号を通信相手となる他の無線送受信装置へ送信するアンテナと、通信相手となる他の無線送受信装置から受信した受信信号を増幅部７へ出力するアンテナとを備える構成であってもよい。
【００３３】
アンテナ６は、サーキュレータ５から受けた送信信号を通信相手となる他の無線送受信装置へ送信する。また、アンテナ６は、通信相手となる他の無線送受信装置から受信した受信信号をサーキュレータ５へ出力する。
【００３４】
増幅部７は、サーキュレータ５から受けたＲＦ帯の受信信号を増幅し、受信ＲＦミキサＭ２へ出力する。
【００３５】
受信ＲＦミキサＭ２は、切替部６０から受けた局部発信信号を用いて、増幅部７から受けた増幅された受信信号をベースバンド信号に周波数変換する。なお、受信ＲＦミキサＭ２がＲＦ帯の受信信号をＩＦ信号に周波数変換し、かつ、受信ＲＦミキサＭ２の後段に受信ＲＦミキサＭ２から受けたＩＦ信号をベースバンド信号に周波数変換するミキサが配置される構成であってもよい。
【００３６】
バンドパスフィルタ８は、受信ＲＦミキサＭ２から受けたベースバンド信号の周波数成分のうち、主信号の帯域より外側の周波数領域における周波数成分を減衰させる。
【００３７】
復調部９は、バンドパスフィルタ８から受けたベースバンド信号を復調する。
【００３８】
制御部５３は、この無線送受信装置が選択する送信信号および受信信号の搬送波の周波数に応じて可変局部発信器Ｌ１および可変局部発信器Ｌ２の出力する局部発信信号の周波数を変更する制御を行なう。また、制御部５３は、同時送受信を行なう場合には、切替部６０に、可変局部発信器Ｌ１の出力する局部発信信号および可変局部発信器Ｌ２の出力する局部発信信号のいずれか一方を送信ＲＦミキサＭ１へ出力させると同時に、他方の局部発信信号を受信ＲＦミキサＭ２へ出力させる制御を行なう。
【００３９】
［動作］
次に、本実施の形態に係る無線送受信装置が送信信号および受信信号の搬送波の周波数を切り替える際の動作について説明する。
【００４０】
以下の説明では、最初に、可変局部発信器Ｌ１は周波数ｆ１を有する局部発信信号を出力し、また、可変局部発信器Ｌ２は周波数ｆ５を有する局部発信信号を出力していると仮定する。
【００４１】
図２は、本実施の形態に係る無線送受信装置が同時送受信を行なう場合の１フレーム中の各スロットにおける送信信号の搬送波の周波数および受信信号の搬送波の周波数の一例を表わす図である。
【００４２】
まず、スロット０において、制御部５３は、スイッチＳＷ１における端子ｔａ１と端子ｔａ２との間を導通させ、かつ、スイッチＳＷ２における端子ｔｂ１と端子ｔｂ３との間を導通させる制御を行なう。これにより、送信ＲＦミキサＭ１へ周波数ｆ１を有する局部発信信号が出力され、また、受信ＲＦミキサＭ２へ周波数ｆ５を有する局部発信信号が出力される。したがって、搬送波の周波数がｆ１である送信信号を送信することができ、また、搬送波の周波数がｆ５である受信信号を受信することができる。
【００４３】
次に、スロット１において、制御部５３は、スイッチＳＷ１における端子ｔａ１と端子ｔａ３との間を導通させ、かつ、スイッチＳＷ２における端子ｔｂ１と端子ｔｂ２との間を導通させる制御を行なう。これにより、送信ＲＦミキサＭ１へ周波数ｆ５を有する局部発信信号が出力され、また、受信ＲＦミキサＭ２へ周波数ｆ１を有する局部発信信号が出力される。したがって、搬送波の周波数がｆ５である送信信号を送信することができ、また、搬送波の周波数がｆ１である受信信号を受信することができる。
【００４４】
以下同様に、制御部５３は、スイッチＳＷ１の導通状態およびスイッチＳＷ２の導通状態をスロットごとに切り替えることにより、誤った周波数変換がされることなく送信信号の搬送波の周波数および受信信号の搬送波の周波数をスロットごとに交互に変更することができる。すなわち、本実施の形態に係る無線送受信装置は、無線信号の搬送波の周波数が異なる複数の無線送受信装置と時間的に連続するスロットで通信することができる。
【００４５】
なお、制御部５３は、送信信号の搬送波の周波数および受信信号の搬送波の周波数を次のスロットで変更しない場合には、現在のスロットにおけるスイッチＳＷ１の導通状態およびスイッチＳＷ２の導通状態を次のスロットにおいても維持すればよい。
【００４６】
また、制御部５３は、同時送受信を行なわない場合でも、同時送受信を行なう場合と同様の制御を行なうことが望ましい。なぜならば、たとえば、制御部５３がスイッチＳＷ１における端子ｔａ１と端子ｔａ２との間を導通させ、かつ、スイッチＳＷ２における端子ｔｂ１と端子ｔｂ２との間を導通させる制御を行なうと、送信ＲＦミキサＭ１へ周波数ｆ１を有する局部発信信号および周波数ｆ５を有する局部発信信号が同時に出力されて、誤った周波数変換が行なわれるからである。なお、同時送受信を行なわない場合には、制御部５３は、いずれか一方の可変局部発信器が送信または受信に使用されているときに他方の可変局部発信器の出力する局部発信信号の周波数を変更する制御を行なうことができる。
【００４７】
なお、スイッチＳＷ１およびスイッチＳＷ２は、３個の端子間がいずれも導通していない状態とすることができる構成であってもよい。この場合には、制御部５３は、使用しない可変局部発信器に対応するスイッチにおける３個の端子間を非導通とし、かつ、前述のように、使用する可変局部発信器に対応するスイッチにおける２個の端子間を導通させる制御を行なう構成とすることができる。すなわち、制御部５３は、可変局部発信器Ｌ１の局部発信信号を使用しない場合にはスイッチＳＷ１における３個の端子間を非導通とし、また、可変局部発信器Ｌ２の局部発信信号を使用しない場合にはスイッチＳＷ２における３個の端子間を非導通とする制御を行なう。このような構成により、送信ＲＦミキサＭ１または受信ＲＦミキサＭ２へ周波数ｆ１を有する局部発信信号および周波数ｆ５を有する局部発信信号が同時に出力されて誤った周波数変換が行なわれ、受信特性が劣化することを防ぐことができる。
【００４８】
また、図１に示す本実施の形態に係る無線送受信装置において、スイッチＳＷ１における端子ｔａ２から送信ＲＦミキサＭ１への経路およびスイッチＳＷ２における端子ｔｂ２から送信ＲＦミキサＭ１への経路の合流点に反射等の影響を軽減する合成器を配置する構成であってもよい。このような構成により、送信ＲＦミキサＭ１へ出力される局部発信信号の劣化に起因する送信信号の劣化を防ぐことができる。
【００４９】
また、図１に示す本実施の形態に係る無線送受信装置において、スイッチＳＷ１における端子ｔａ３から受信ＲＦミキサＭ２への経路およびスイッチＳＷ２における端子ｔｂ３から受信ＲＦミキサＭ２への経路の合流点に反射等の影響を軽減する合成器を配置する構成であってもよい。このような構成により、受信ＲＦミキサＭ２へ出力される局部発信信号の劣化に起因する受信信号の劣化を防ぐことができる。
【００５０】
図３は、本実施の形態に係る無線送受信装置が同時送受信を行ない、かつ、送信信号の搬送波の周波数および受信信号の搬送波の周波数を新たな周波数に変更する場合の１フレーム中の各スロットにおける送信信号の搬送波の周波数および受信信号の搬送波の周波数の一例を表わす図である。
【００５１】
制御部５３は、本実施の形態に係る無線送受信装置がスロット４において送信信号の搬送波の周波数を新たな周波数に変更する必要がある場合には、スロット３において可変局部発信器Ｌ１または可変局部発信器Ｌ２の出力する局部発信信号の周波数を変更する制御を行なう。また、制御部５３は、スロット３において、可変局部発信器Ｌ１または可変局部発信器Ｌ２の出力する局部発信信号が新たな周波数に変わるのに十分な期間だけ送信信号の送信を送信部５１に停止させる制御を行なう。
【００５２】
ここで、制御部５３は、送信部５１が含む増幅部４への電力供給を停止する等の制御を行なうことにより、送信信号の送信を停止させる。
【００５３】
また、制御部５３は、本実施の形態に係る無線送受信装置がスロット４において受信信号の搬送波の周波数を新たな周波数に変更する必要がある場合には、スロット３において可変局部発信器Ｌ１または可変局部発信器Ｌ２の出力する局部発信信号の周波数を変更する制御を行なう。また、制御部５３は、スロット３において、可変局部発信器Ｌ１または可変局部発信器Ｌ２の出力する局部発信信号が新たな周波数に変わるのに十分な期間だけ受信信号の受信を受信部５２に停止させる制御を行なう。
【００５４】
ここで、制御部５３は、受信部５２が含む増幅部７への電力供給を停止する等の制御を行なうことにより、受信信号の受信を停止させる。
【００５５】
このような構成により、局部発信信号の周波数が安定するまでの間に無線送受信装置において過渡状態の局部発信信号を周波数変換に使用することに起因する送受信特性の劣化を防ぎつつ、同時送受信において送信信号および受信信号ごとにそれぞれ２種類以上の搬送波の周波数を選択することができる。
【００５６】
［第１の実施の形態の変形例］
図４は、本発明の第１の実施の形態に係る無線送受信装置の変形例の構成図である。
【００５７】
同図を参照して、この無線送受信装置は、第１の実施の形態に係る無線送受信装置に対して、切替部６０の代わりに切替部６１を備える。なお、変調部１と、増幅部２と、バンドパスフィルタ３と、増幅部４と、サーキュレータ５と、アンテナ６と、増幅部７と、バンドパスフィルタ８と、復調部９と、制御部５３とは図示していないが、これらの各ブロックの構成は図１に示す第１の実施の形態に係る無線送受信装置と同様である。
【００５８】
切替部６１は、スイッチＳＷ３と、スイッチＳＷ４とを含む。スイッチＳＷ３は、端子ｔｃ１〜端子ｔｃ３を含む。スイッチＳＷ４は、端子ｔｄ１〜端子ｔｄ３を含む。
【００５９】
スイッチＳＷ３における端子ｔｃ１が可変局部発信器Ｌ１およびスイッチＳＷ４における端子ｔｄ１に接続される。スイッチＳＷ１における端子ｔｃ２が送信ＲＦミキサＭ１に接続される。スイッチＳＷ１における端子ｔｃ３が可変局部発信器Ｌ２およびスイッチＳＷ２における端子ｔｄ３に接続される。スイッチＳＷ２における端子ｔｄ２が受信ＲＦミキサＭ２に接続される。
【００６０】
その他の構成および基本動作は第１の実施の形態に係る無線送受信装置と同様である。
【００６１】
［動作］
次に、図４に示す無線送受信装置が送信信号および受信信号の搬送波の周波数を切り替える際の動作について説明する。
【００６２】
以下の説明では、最初に、可変局部発信器Ｌ１は周波数ｆ１を有する局部発信信号を出力し、また、可変局部発信器Ｌ２は周波数ｆ５を有する局部発信信号を出力していると仮定する。
【００６３】
まず、スロット０において、制御部５３は、スイッチＳＷ３における端子ｔｃ１と端子ｔｃ２との間を導通させ、かつ、スイッチＳＷ４における端子ｔｄ２と端子ｔｄ３との間を導通させる制御を行なう。これにより、送信ＲＦミキサＭ１へ周波数ｆ１を有する局部発信信号が出力され、また、受信ＲＦミキサＭ２へ周波数ｆ５を有する局部発信信号が出力される。したがって、搬送波の周波数がｆ１である送信信号を送信することができ、また、搬送波の周波数がｆ５である受信信号を受信することができる。
【００６４】
次に、スロット１において、制御部５３は、スイッチＳＷ３における端子ｔｃ２と端子ｔｃ３との間を導通させ、かつ、スイッチＳＷ４における端子ｔｄ１と端子ｔｄ２との間を導通させる制御を行なう。これにより、送信ＲＦミキサＭ１へ周波数ｆ５を有する局部発信信号が出力され、また、受信ＲＦミキサＭ２へ周波数ｆ１を有する局部発信信号が出力される。したがって、搬送波の周波数がｆ５である送信信号を送信することができ、また、搬送波の周波数がｆ１である受信信号を受信することができる。
【００６５】
以下同様に、制御部５３は、スイッチＳＷ３の導通状態およびスイッチＳＷ４の導通状態をスロットごとに切り替えることにより、誤った周波数変換がされることなく送信信号の搬送波の周波数および受信信号の搬送波の周波数をスロットごとに交互に変更することができる。したがって、本実施の形態に係る無線送受信装置は、第１の実施の形態に係る無線送受信装置と同様に、図２に示すような送信信号の搬送波の周波数および受信信号の搬送波の周波数の切り替えを行なうことができる。すなわち、無線信号の搬送波の周波数が異なる複数の無線送受信装置と時間的に連続するスロットで通信することができる。
【００６６】
なお、図４に示す本実施の形態に係る無線送受信装置の変形例において、可変局部発信器Ｌ１からスイッチＳＷ１における端子ｔｃ１への経路および可変局部発信器Ｌ１からスイッチＳＷ２における端子ｔｄ１への経路の分岐点に反射等の影響を軽減する分配器を配置する構成であってもよい。このような構成により、可変局部発信器Ｌ１が出力する局部発信信号の劣化に起因する送信信号または受信信号の劣化を防ぐことができる。
【００６７】
また、図４に示す本実施の形態に係る無線送受信装置の変形例において、可変局部発信器Ｌ２からスイッチＳＷ３における端子ｔｃ３への経路および可変局部発信器Ｌ２からスイッチＳＷ４における端子ｔｄ３への経路の分岐点に反射等の影響を軽減する分配器を配置する構成であってもよい。このような構成により、可変局部発信器Ｌ２が出力する局部発信信号の劣化に起因する送信信号または受信信号の劣化を防ぐことができる。
【００６８】
ところで、特許文献１記載の無線送受信装置では、同時送受信に対応し、かつ、無線信号の搬送波の周波数を変更する際の送受信特性の劣化を防ぐために４個の局部発信器を備える必要があり、構成の複雑化によって消費電力、実装面積および生産コストが増大するという問題点があった。
【００６９】
しかしながら、本発明の実施の形態に係る無線送受信装置は、可変局部発信器を可変局部発信器Ｌ１および可変局部発信器Ｌ２の２個だけ備える。そして、制御部５３は、同時送受信を行なう場合には、切替部６０に、可変局部発信器Ｌ１の出力する局部発信信号および可変局部発信器Ｌ２の出力する局部発信信号のいずれか一方を送信ＲＦミキサＭ１へ出力させると同時に、他方の局部発信信号を受信ＲＦミキサＭ２へ出力させる制御を行なう。また、制御部５３は、スイッチＳＷ３の導通状態およびスイッチＳＷ４の導通状態をスロットごとに切り替えることにより、誤った周波数変換がされることなく送信信号の搬送波の周波数および受信信号の搬送波の周波数をスロットごとに交互に変更する。
【００７０】
したがって、本実施の形態に係る無線送受信装置は、同時送受信に対応し、かつ、無線信号の周波数を変更する際に過渡状態の局部発信信号を周波数変換に使用することに起因する送受信特性の劣化を防ぎ、かつ、構成の複雑化を防ぐことができる。
【００７１】
なお、本実施の形態に係る無線送受信装置は、前述のように、同時送受信を行なわない場合にも対応することができる。
【００７２】
次に、本発明の他の実施の形態について図面を用いて説明する。
【００７３】
＜第２の実施の形態＞
図５は、本発明の第２の実施の形態に係る無線送受信装置の構成図である。
【００７４】
同図を参照して、この無線送受信装置は、第１の実施の形態に係る無線送受信装置に対して、切替部６０の代わりに切替部６２を備える。なお、変調部１と、増幅部２と、バンドパスフィルタ３と、増幅部４と、サーキュレータ５と、アンテナ６と、増幅部７と、バンドパスフィルタ８と、復調部９と、制御部５３とは図示していないが、これらの各ブロックの構成は図１に示す第１の実施の形態に係る無線送受信装置と同様である。
【００７５】
切替部６２は、スイッチＳＷ１１と、スイッチＳＷ１２と、スイッチＳＷ１３と、分配器１１とを含む。スイッチＳＷ１１は、端子ｔｅ１〜端子ｔｅ３を含む。スイッチＳＷ１２は、端子ｔｆ１〜端子ｔｆ３を含む。スイッチＳＷ１３は、端子ｔｇ１〜端子ｔｇ３を含む。
【００７６】
分配器１１は、スイッチＳＷ１１における端子ｔｅ２から送信ＲＦミキサＭ１への経路およびスイッチＳＷ１１における端子ｔｅ２からスイッチＳＷ１３における端子ｔｇ２への経路の分岐点に配置され、反射等による局部発信信号の劣化を防ぐ。
【００７７】
スイッチＳＷ１１における端子ｔｅ１が可変局部発信器Ｌ１に接続され、スイッチＳＷ１１における端子ｔｅ２が分配器の入力に接続される。スイッチＳＷ１２における端子ｔｆ１に可変局部発信器Ｌ２が接続される。スイッチＳＷ１２における端子ｔｆ２にスイッチＳＷ１１における端子ｔｅ３が接続される。スイッチＳＷ１２における端子ｔｆ３にスイッチＳＷ１３における端子ｔｇ１が接続される。スイッチＳＷ１３における端子ｔｇ２に分配器１１の第１の出力が接続される。スイッチＳＷ１３における端子ｔｇ３に受信ＲＦミキサＭ２が接続される。分配器１１の第２の出力が送信ＲＦミキサＭ１に接続される。
【００７８】
その他の構成および基本動作は、第１の実施の形態に係る無線送受信装置と同様である。
【００７９】
［動作］
次に、本実施の形態に係る無線送受信装置が送信信号および受信信号の搬送波の周波数を切り替える際の動作について説明する。
【００８０】
以下の説明では、最初に、可変局部発信器Ｌ１は周波数ｆ１を有する局部発信信号を出力し、また、可変局部発信器Ｌ２は周波数ｆ５を有する局部発信信号を出力していると仮定する。
【００８１】
図６は、本実施の形態に係る無線送受信装置が同時送受信を行なう場合の各スイッチの導通状態を表わした無線送受信装置の構成図である。
【００８２】
制御部５３は、同時送受信を行なう場合には、スイッチＳＷ１１における端子ｔｅ１と端子ｔｅ２との間を導通させ、かつ、スイッチＳＷ１２における端子ｔｆ１と端子ｔｆ３との間を導通させ、かつ、スイッチＳＷ１３における端子ｔｇ１と端子ｔｇ３との間を導通させる制御を行なう。これにより、送信ＲＦミキサＭ１へ周波数ｆ１を有する局部発信信号が出力され、また、受信ＲＦミキサＭ２へ周波数ｆ５を有する局部発信信号が出力される。したがって、搬送波の周波数がｆ１である送信信号を送信することができ、また、搬送波の周波数がｆ５である受信信号を受信することができる。すなわち、本実施の形態に係る無線送受信装置が同時送受信を行なう場合の１フレーム中の各スロットにおける送信信号の搬送波の周波数および受信信号の搬送波の周波数は、図７に示すようになる。
【００８３】
このような構成により、可変局部発信器Ｌ１の出力する局部発信信号および可変局部発信器Ｌ２の出力する局部発信信号のいずれか一方を送信ＲＦミキサＭ１へ出力させると同時に、他方の局部発信信号を受信ＲＦミキサＭ２へ出力させることができる。
【００８４】
図８は、本実施の形態に係る無線送受信装置が同時送受信を行なわない場合の各スイッチの導通状態の一例を表わした無線送受信装置の構成図である。
【００８５】
制御部５３は、同時送受信を行なわない場合であって搬送波の周波数がｆ１である送信信号を送信するときには、スイッチＳＷ１１における端子ｔｅ１と端子ｔｅ２との間を導通させ、かつ、スイッチＳＷ１３における端子ｔｇ１と端子ｔｇ３との間を導通させる制御を行なう。これにより、送信ＲＦミキサＭ１へ周波数ｆ１を有する局部発信信号が出力される。
【００８６】
この場合、スイッチＳＷ１２の状態は、端子ｔｆ１と端子ｔｆ２との間が導通していてもよいし、端子ｔｆ１と端子ｔｆ３との間が導通していてもよい。
【００８７】
図９は、本実施の形態に係る無線送受信装置が同時送受信を行なわない場合の各スイッチの導通状態の一例を表わした無線送受信装置の構成図である。
【００８８】
制御部５３は、同時送受信を行なわない場合であって搬送波の周波数がｆ５である送信信号を送信するときには、スイッチＳＷ１１における端子ｔｅ２と端子ｔｅ３との間を導通させ、かつ、スイッチＳＷ１２における端子ｔｆ１と端子ｔｆ２との間を導通させ、かつ、スイッチＳＷ１３における端子ｔｇ１と端子ｔｇ３との間を導通させる制御を行なう。これにより、送信ＲＦミキサＭ１へ周波数ｆ５を有する局部発信信号が出力される。
【００８９】
図１０は、本実施の形態に係る無線送受信装置が同時送受信を行なわない場合の各スイッチの導通状態の一例を表わした無線送受信装置の構成図である。
【００９０】
制御部５３は、同時送受信を行なわない場合であって搬送波の周波数がｆ１である受信信号を受信するときには、スイッチＳＷ１１における端子ｔｅ１と端子ｔｅ２との間を導通させ、かつ、スイッチＳＷ１３における端子ｔｇ２と端子ｔｇ３との間を導通させる制御を行なう。これにより、受信ＲＦミキサＭ２へ周波数ｆ１を有する局部発信信号が出力される。
【００９１】
この場合、スイッチＳＷ１２の状態は、端子ｔｆ１と端子ｔｆ２との間が導通していてもよいし、端子ｔｆ１と端子ｔｆ３との間が導通していてもよい。
【００９２】
図１１は、本実施の形態に係る無線送受信装置が同時送受信を行なわない場合の各スイッチの導通状態の一例を表わした無線送受信装置の構成図である。
【００９３】
制御部５３は、同時送受信を行なわない場合であって搬送波の周波数がｆ５である受信信号を受信するときには、スイッチＳＷ１２における端子ｔｆ１と端子ｔｆ３との間を導通させ、かつ、スイッチＳＷ１３における端子ｔｇ１と端子ｔｇ３との間を導通させる制御を行なう。これにより、受信ＲＦミキサＭ２へ周波数ｆ５を有する局部発信信号が出力される。
【００９４】
この場合、スイッチＳＷ１１の状態は、端子ｔｅ１と端子ｔｅ２との間が導通していてもよいし、端子ｔｅ１と端子ｔｅ３との間が導通していてもよい。
【００９５】
したがって、本発明の実施の形態に係る無線送受信装置は、第１の実施の形態に係る無線送受信装置と同様に、同時送受信に対応し、かつ、構成の複雑化を防ぐことができる。
【００９６】
そして、本実施の形態に係る無線送受信装置における制御部５３は、第１の実施の形態に係る無線送受信装置と同様に、送信信号または受信信号の搬送波の周波数を新たな周波数に変更する必要がある場合には、送信部５１に送信信号の送信を停止させるかまたは受信部５２に受信信号の受信を停止させるとともに、可変局部発信器Ｌ１または可変局部発信器Ｌ２の出力する局部発信信号の周波数を変更する制御を行なう。
【００９７】
このような構成により、局部発信信号の周波数が安定するまでの間に無線送受信装置において過渡状態の局部発信信号を周波数変換に使用することに起因する送受信特性の劣化を防ぎつつ、同時送受信において送信信号および受信信号ごとにそれぞれ２種類以上の搬送波の周波数を選択することができる。
【００９８】
したがって、本実施の形態に係る無線送受信装置は、同時送受信に対応し、かつ、無線信号の周波数を変更する際に過渡状態の局部発信信号を周波数変換に使用することに起因する送受信特性の劣化を防ぎ、かつ、構成の複雑化を防ぐことができる。
【００９９】
さらに、第１の実施の形態に係る無線送受信装置では、可変局部発信器からＲＦミキサまでの経路に合流点または分岐点があり、反射等の影響による送信信号および受信信号の劣化を軽減するために複数個の合成器または分配器を配置する必要があった。しかしながら、本実施の形態に係る無線送受信装置では、同時送受信を行なう場合および同時送受信を行なわない場合の両方において、可変局部発信器Ｌ２から受信ＲＦミキサＭ２への経路を合流点または分岐点がない経路とすることが可能であるため、１個の分配器を配置するだけでよい。したがって、構成が複雑化することなく反射等の影響による送信信号および受信信号の劣化を軽減することができる。
【０１００】
次に、本発明の他の実施の形態について図面を用いて説明する。
【０１０１】
＜第３の実施の形態＞
図１２は、本発明の第３の実施の形態に係る無線送受信装置の構成図である。
【０１０２】
同図を参照して、この無線送受信装置は、第１の実施の形態に係る無線送受信装置に対して、切替部６０の代わりに切替部６３を備える。なお、変調部１と、増幅部２と、バンドパスフィルタ３と、増幅部４と、サーキュレータ５と、アンテナ６と、増幅部７と、バンドパスフィルタ８と、復調部９と、制御部５３とは図示していないが、これらの各ブロックの構成は図１に示す第１の実施の形態に係る無線送受信装置と同様である。
【０１０３】
切替部６３は、スイッチＳＷ２１〜スイッチＳＷ２４を含む。スイッチＳＷ２１は、端子ｔｈ１〜端子ｔｈ３を含む。スイッチＳＷ２２は、端子ｔｉ１〜端子ｔｉ３を含む。スイッチＳＷ２３は、端子ｔｊ１〜端子ｔｊ３を含む。スイッチＳＷ２４は、端子ｔｋ１〜端子ｔｋ３を含む。
【０１０４】
スイッチＳＷ２１における端子ｔｈ１に可変局部発信器Ｌ１が接続される。スイッチＳＷ２１における端子ｔｈ２にスイッチＳＷ２２における端子ｔｉ１が接続される。スイッチＳＷ２１における端子ｔｈ３にスイッチＳＷ２４における端子ｔｋ１が接続される。スイッチＳＷ２２における端子ｔｉ２に送信ＲＦミキサＭ１が接続される。スイッチＳＷ２３における端子ｔｊ１に可変局部発信器Ｌ２が接続される。スイッチＳＷ２３における端子ｔｊ２にスイッチＳＷ２２における端子ｔｉ３が接続される。スイッチＳＷ２４における端子ｔｋ２に受信ＲＦミキサＭ２が接続される。スイッチＳＷ２４における端子ｔｋ３にスイッチＳＷ２３における端子ｔｊ３が接続される。
【０１０５】
その他の構成および基本動作は、第１の実施の形態に係る無線送受信装置と同様である。
【０１０６】
［動作］
次に、本実施の形態に係る無線送受信装置が送信信号および受信信号の搬送波の周波数を切り替える際の動作について説明する。
【０１０７】
以下の説明では、最初に、可変局部発信器Ｌ１は周波数ｆ１を有する局部発信信号を出力し、また、可変局部発信器Ｌ２は周波数ｆ５を有する局部発信信号を出力していると仮定する。
【０１０８】
図１３は、本実施の形態に係る無線送受信装置が同時送受信を行なう場合の各スイッチの導通状態の一例を表わした無線送受信装置の構成図である。
【０１０９】
制御部５３は、同時送受信を行なう場合には、スイッチＳＷ２１における端子ｔｈ１と端子ｔｈ２との間を導通させ、かつ、スイッチＳＷ２２における端子ｔｉ１と端子ｔｉ２との間を導通させ、かつ、スイッチＳＷ２３における端子ｔｊ１と端子ｔｊ３との間を導通させ、かつ、スイッチＳＷ２４における端子ｔｋ２と端子ｔｋ３との間を導通させる制御を行なう。これにより、送信ＲＦミキサＭ１へ周波数ｆ１を有する局部発信信号が出力され、また、受信ＲＦミキサＭ２へ周波数ｆ５を有する局部発信信号が出力される。したがって、搬送波の周波数がｆ１である送信信号を送信することができ、また、搬送波の周波数がｆ５である受信信号を受信することができる。
【０１１０】
図１４は、本実施の形態に係る無線送受信装置が同時送受信を行なう場合の各スイッチの導通状態の一例を表わした無線送受信装置の構成図である。
【０１１１】
制御部５３は、同時送受信を行なう場合には、スイッチＳＷ２１における端子ｔｈ１と端子ｔｈ３との間を導通させ、かつ、スイッチＳＷ２２における端子ｔｉ２と端子ｔｉ３との間を導通させ、かつ、スイッチＳＷ２３における端子ｔｊ１と端子ｔｊ２との間を導通させ、かつ、スイッチＳＷ２４における端子ｔｋ１と端子ｔｋ２との間を導通させる制御を行なう。これにより、送信ＲＦミキサＭ１へ周波数ｆ５を有する局部発信信号が出力され、また、受信ＲＦミキサＭ２へ周波数ｆ１を有する局部発信信号が出力される。したがって、搬送波の周波数がｆ５である送信信号を送信することができ、また、搬送波の周波数がｆ１である受信信号を受信することができる。
【０１１２】
このような構成により、可変局部発信器Ｌ１の出力する局部発信信号および可変局部発信器Ｌ２の出力する局部発信信号のいずれか一方を送信ＲＦミキサＭ１へ出力させると同時に、他方の局部発信信号を受信ＲＦミキサＭ２へ出力させることができる。
【０１１３】
また、制御部５３は、図１３および図１４に示すスイッチＳＷ２１〜スイッチＳＷ２４の導通状態をスロットごとに切り替えることにより、誤った周波数変換がされることなく送信信号の搬送波の周波数および受信信号の搬送波の周波数をスロットごとに交互に変更することができる。したがって、本実施の形態に係る無線送受信装置は、第１の実施の形態に係る無線送受信装置と同様に、図２に示すような送信信号の搬送波の周波数および受信信号の搬送波の周波数の切り替えを行なうことができる。すなわち、無線信号の搬送波の周波数が異なる複数の無線送受信装置と時間的に連続するスロットで通信することができる。
【０１１４】
次に、本実施の形態に係る無線送受信装置が同時送受信を行なわない場合の制御部５３の動作について説明する。
【０１１５】
制御部５３は、同時送受信を行なわない場合であって搬送波の周波数がｆ１である送信信号を送信するときには、スイッチＳＷ２１における端子ｔｈ１と端子ｔｈ２との間を導通させ、かつ、スイッチＳＷ２２における端子ｔｉ１と端子ｔｉ２との間を導通させる制御を行なう。これにより、送信ＲＦミキサＭ１へ周波数ｆ１を有する局部発信信号が出力される。
【０１１６】
この場合、スイッチＳＷ２３の状態は、端子ｔｊ１と端子ｔｊ２との間が導通していてもよいし、端子ｔｊ１と端子ｔｊ３との間が導通していてもよい。また、スイッチＳＷ２４の状態は、端子ｔｋ１と端子ｔｋ２との間が導通していてもよいし、端子ｔｋ１と端子ｔｋ３との間が導通していてもよい。
【０１１７】
制御部５３は、同時送受信を行なわない場合であって搬送波の周波数がｆ５である送信信号を送信するときには、スイッチＳＷ２２における端子ｔｉ２と端子ｔｉ３との間を導通させ、かつ、スイッチＳＷ２３における端子ｔｊ１と端子ｔｊ２との間を導通させる制御を行なう。これにより、送信ＲＦミキサＭ１へ周波数ｆ５を有する局部発信信号が出力される。
【０１１８】
この場合、スイッチＳＷ２１の状態は、端子ｔｈ１と端子ｔｈ２との間が導通していてもよいし、端子ｔｈ１と端子ｔｈ３との間が導通していてもよい。また、スイッチＳＷ２４の状態は、端子ｔｋ１と端子ｔｋ２との間が導通していてもよいし、端子ｔｋ１と端子ｔｋ３との間が導通していてもよい。
【０１１９】
制御部５３は、同時送受信を行なわない場合であって搬送波の周波数がｆ１である受信信号を受信するときには、スイッチＳＷ２１における端子ｔｈ１と端子ｔｈ３との間を導通させ、かつ、スイッチＳＷ２４における端子ｔｋ１と端子ｔｋ２との間を導通させる制御を行なう。これにより、受信ＲＦミキサＭ２へ周波数ｆ１を有する局部発信信号が出力される。
【０１２０】
この場合、スイッチＳＷ２２の状態は、端子ｔｉ１と端子ｔｉ２との間が導通していてもよいし、端子ｔｉ１と端子ｔｉ３との間が導通していてもよい。また、スイッチＳＷ２３の状態は、端子ｔｊ１と端子ｔｊ２との間が導通していてもよいし、端子ｔｊ１と端子ｔｊ３との間が導通していてもよい。
【０１２１】
また、制御部５３は、同時送受信を行なわない場合であって搬送波の周波数がｆ５である受信信号を受信するときには、スイッチＳＷ２３における端子ｔｊ１と端子ｔｊ３との間を導通させ、かつ、スイッチＳＷ２４における端子ｔｋ２と端子ｔｋ３との間を導通させる制御を行なう。これにより、受信ＲＦミキサＭ２へ周波数ｆ５を有する局部発信信号が出力される。
【０１２２】
この場合、スイッチＳＷ２１の状態は、端子ｔｈ１と端子ｔｈ２との間が導通していてもよいし、端子ｔｈ１と端子ｔｈ３との間が導通していてもよい。また、スイッチＳＷ２２の状態は、端子ｔｉ１と端子ｔｉ２との間が導通していてもよいし、端子ｔｉ１と端子ｔｉ３との間が導通していてもよい。
【０１２３】
以上より、本実施の形態に係る無線送受信装置は、第１の実施の形態に係る無線送受信装置と同様に、同時送受信に対応し、かつ、無線信号の周波数を変更する際に過渡状態の局部発信信号を周波数変換に使用することに起因する送受信特性の劣化を防ぎ、かつ、構成の複雑化を防ぐことができる。
【０１２４】
そして、本実施の形態に係る無線送受信装置における制御部５３は、第１の実施の形態に係る無線送受信装置と同様に、送信信号または受信信号の搬送波の周波数を新たな周波数に変更する必要がある場合には、送信部５１に送信信号の送信を停止させるかまたは受信部５２に受信信号の受信を停止させるとともに、可変局部発信器Ｌ１または可変局部発信器Ｌ２の出力する局部発信信号の周波数を変更する制御を行なう。
【０１２５】
このような構成により、局部発信信号の周波数が安定するまでの間に無線送受信装置において過渡状態の局部発信信号を周波数変換に使用することに起因する送受信特性の劣化を防ぎつつ、同時送受信において送信信号および受信信号ごとにそれぞれ２種類以上の搬送波の周波数を選択することができる。
【０１２６】
さらに、第１の実施の形態に係る無線送受信装置では、可変局部発信器からＲＦミキサまでの経路に合流点または分岐点があり、反射等の影響による送信信号および受信信号の劣化を軽減するために複数個の合成器または分配器を配置する必要があった。しかしながら、本実施の形態に係る無線送受信装置では、同時送受信を行なう場合および同時送受信を行なわない場合の両方において、可変局部発信器Ｌ１および可変局部発信器Ｌ２から送信ＲＦミキサＭ１および受信ＲＦミキサＭ２へのすべての経路を合流点または分岐点がない経路とすることが可能であるため、合成器または分配器を配置する必要がない。したがって、構成が複雑化することなく反射等の影響による送信信号および受信信号の劣化を軽減することができる。
【０１２７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１２８】
【図１】本発明の第１の実施の形態に係る無線送受信装置の構成図である。
【図２】本発明の第１の実施の形態に係る無線送受信装置が同時送受信を行なう場合の１フレーム中の各スロットにおける送信信号の搬送波の周波数および受信信号の搬送波の周波数の一例を表わす図である。
【図３】本発明の第１の実施の形態に係る無線送受信装置が同時送受信を行ない、かつ、送信信号の搬送波の周波数および受信信号の搬送波の周波数を新たな周波数に変更する場合の１フレーム中の各スロットにおける送信信号の搬送波の周波数および受信信号の搬送波の周波数の一例を表わす図である。
【図４】本発明の第１の実施の形態に係る無線送受信装置の変形例の構成図である。
【図５】本発明の第２の実施の形態に係る無線送受信装置の構成図である。
【図６】本発明の第２の実施の形態に係る無線送受信装置が同時送受信を行なう場合の各スイッチの導通状態を表わした無線送受信装置の構成図である。
【図７】本発明の第２の実施の形態に係る無線送受信装置が同時送受信を行なう場合の１フレーム中の各スロットにおける送信信号の搬送波の周波数および受信信号の搬送波の周波数の一例を表わす図である。
【図８】本発明の第２の実施の形態に係る無線送受信装置が同時送受信を行なわない場合の各スイッチの導通状態の一例を表わした無線送受信装置の構成図である。
【図９】本発明の第２の実施の形態に係る無線送受信装置が同時送受信を行なわない場合の各スイッチの導通状態の一例を表わした無線送受信装置の構成図である。
【図１０】本発明の第２の実施の形態に係る無線送受信装置が同時送受信を行なわない場合の各スイッチの導通状態の一例を表わした無線送受信装置の構成図である。
【図１１】本発明の第２の実施の形態に係る無線送受信装置が同時送受信を行なわない場合の各スイッチの導通状態の一例を表わした無線送受信装置の構成図である。
【図１２】本発明の第３の実施の形態に係る無線送受信装置の構成図である。
【図１３】本発明の第３の実施の形態に係る無線送受信装置が同時送受信を行なう場合の各スイッチの導通状態の一例を表わした無線送受信装置の構成図である。
【図１４】本発明の第３の実施の形態に係る無線送受信装置が同時送受信を行なう場合の各スイッチの導通状態の一例を表わした無線送受信装置の構成図である。
【符号の説明】
【０１２９】
１  変調部、２，４，７  増幅部、３，８  バンドパスフィルタ、５  サーキュレータ、６  アンテナ、９  復調部、Ｌ１，Ｌ２  可変局部発信器、５１  送信部、５２  受信部、５３  制御部、６０〜６３  切替部、Ｍ１  送信ＲＦミキサ、Ｍ２  受信ＲＦミキサ、ＳＷ１〜ＳＷ４，ＳＷ１１，ＳＷ１２，ＳＷ２１，ＳＷ２２  スイッチ、ｔａ１〜ｔａ３，ｔｂ１〜ｔｂ３，ｔｃ１〜ｔｃ３，ｔｄ１〜ｔｄ３，ｔｅ１〜ｔｅ３，ｔｆ１〜ｔｆ３，ｔｇ１〜ｔｇ３，ｔｈ１〜ｔｈ３，ｔｉ１〜ｔｉ３，ｔｊ１〜ｔｊ３，ｔｋ１〜ｔｋ３  端子。
【図１】
2006287439.tif 000003
【図２】
2006287439.tif 000004
【図３】
2006287439.tif 000005
【図４】
2006287439.tif 000006
【図５】
2006287439.tif 000007
【図６】
2006287439.tif 000008
【図７】
2006287439.tif 000009
【図８】
2006287439.tif 000010
【図９】
2006287439.tif 000011
【図１０】
2006287439.tif 000012
【図１１】
2006287439.tif 000013
【図１２】
2006287439.tif 000014
【図１３】
2006287439.tif 000015
【図１４】
2006287439.tif 000016